(57)【要約】【課題】広告用ボードに、これが簡単に倒れたりしない重量を付加する構造を、容易に入手可能なペットボトルを利用して、適切に付与させる。【解決手段】第一のボード部１と第二のボード部２とを、これらの上辺部において回動可能に接合させて、これらの下辺部側を所定距離離隔させた展開状態において自立可能とさせてなる広告用ボードである。前記展開状態において、前記第一のボード部１と前記第二のボード部２との間に、ウエイトとして機能し得る態様でペットボトルＰを起立状態に保持可能としてなる。【選択図】図５
2018101005.tif 000002
【特許請求の範囲】
【請求項１】
第一のボード部と第二のボード部とを、これらの上辺部において回動可能に接合させて、これらの下辺部側を所定距離離隔させた展開状態において自立可能とさせてなる広告用ボードにおいて、
前記展開状態において、前記第一のボード部と前記第二のボード部との間に、ウエイトとして機能し得る態様でペットボトルを起立状態に保持可能としてなる、広告用ボード。
【請求項２】
前記ペットボトルを、内容量を１Ｌ〜２Ｌの範囲のものとする、請求項１に記載の広告用ボード。
【請求項３】
前記展開状態において、前記第一のボード部と前記第二のボード部との間に架設される前記ペットボトルの底支持体と、前記ペットボトルの上部支持体とを備え、前記上部支持体にペットボトルの上部側の通過穴を形成させてなる、請求項１又は請求項２に記載の広告用ボード。
【請求項４】
前記底支持体は、一辺部を前記第一のボード部及び前記第二のボード部の一方に回動可能に組み付け、他辺部を前記展開状態において前記第一のボード部及び前記第二のボード部の他方に形成させた受け部に係合又は係当させるようにしてなる、請求項３に記載の広告用ボード。
【請求項５】
前記上部支持体は、一辺部を前記第一のボード部及び前記第二のボード部の一方に回動可能に組み付け、他辺部を前記展開状態において前記第一のボード部及び前記第二のボード部の他方に形成させた受け部に係合又は係当させるようにしてなる、請求項３又は請求項４に記載の広告用ボード。
【発明の詳細な説明】
【技術分野】
【０００１】
この発明は、広告用ボードの改良に関する。
【背景技術】
【０００２】
店舗などの宣伝・広告などの用途に使用される広告用ボードとして、第一のボード部と第二のボード部とを、これらの上辺部において回動可能に接合させて、これらの下辺部側を所定距離離隔させた展開状態において自立可能とさせてなる、いわゆる両面タイプのＡ型のボードなどと称されるものがある。
【０００３】
この種の広告用ボードは表面積が大きい反面、それ自体は比較的軽量であることから、風などで煽られると倒れやすい。広告用ボードが簡単に倒れたりしない重量を広告用ボードに付加させる手法としては、砂袋や、水を充填したポリタンクなどを広告用ボードに結束などする手法があるが、これらを広告用ボードないしは広告用ボード周辺の外観性を損なわない態様で設置することは必ずしも容易でなく、また、これらを紐などを用いて広告用ボードと結束などすることを要する。
【発明の概要】
【発明が解決しようとする課題】
【０００４】
この発明が解決しようとする主たる問題点は、この種の広告用ボードに、これが簡単に倒れたりしない重量を付加する構造を、容易に入手可能なペットボトルを利用して、広告用ボードないしは広告用ボード周辺の外観性を損なわない態様で、広告用ボードに適切に付与させる点にある。
【課題を解決するための手段】
【０００５】
前記目的を達成するために、この発明にあっては、広告用ボードを、第一のボード部と第二のボード部とを、これらの上辺部において回動可能に接合させて、これらの下辺部側を所定距離離隔させた展開状態において自立可能とさせてなる広告用ボードにおいて、
前記展開状態において、前記第一のボード部と前記第二のボード部との間に、ウエイトとして機能し得る態様でペットボトルを起立状態に保持可能としてなる、ものとした。
【０００６】
かかる広告用ボードにあっては、液体を充填させたペットボトルを、展開状態の広告用ボードの内側に起立状態に保持させて広告用ボードに風などで煽られた際に広告用ボードが簡単に倒れたりしない重量を付加させることができることから、保持されるペットボトルは広告用ボードないしは広告用ボード周辺の外観性を損なうことがなく、また、広告用ボード内にペットボトルを単純に保持させるだけで前記重量を広告用ボードに付加させることができる。また、ペットボトルは起立状態に保持されることから、広告用ボードの高さは保持されるペットボトルの高さ以上であることが必須となるが、ペットボトルの保持構造が前記展開状態における第一のボード部と第二のボード部との間の距離（広告用ボードの前後方向の寸法）の増加を招来することはなく、また、広告用ボードの左右方向の距離（広告用ボードの左右方向の寸法）の増加を招来することもない。
【０００７】
前記ペットボトルを、内容量を１Ｌ〜２Ｌの範囲のものとする、ようにすることが、この発明の態様の一つとされる。
【０００８】
前記展開状態において、前記第一のボード部と前記第二のボード部との間に架設される前記ペットボトルの底支持体と、前記ペットボトルの上部支持体とを備え、前記上部支持体にペットボトルの上部側の通過穴を形成させてなる、ようにすることが、この発明の態様の一つとされる。
【０００９】
前記底支持体は、一辺部を前記第一のボード部及び前記第二のボード部の一方に回動可能に組み付け、他辺部を前記展開状態において前記第一のボード部及び前記第二のボード部の他方に形成させた受け部に係合又は係当させるようにすることが、この発明の態様の一つとされる。
【００１０】
前記上部支持体は、一辺部を前記第一のボード部及び前記第二のボード部の一方に回動可能に組み付け、他辺部を前記展開状態において前記第一のボード部及び前記第二のボード部の他方に形成させた受け部に係合又は係当させるようにすることが、この発明の態様の一つとされる。
【発明の効果】
【００１１】
この発明によれば、前記広告用ボードに、これが簡単に倒れたりしない重量を付加する構造を、容易に入手可能なペットボトルを利用して、広告用ボードないしは広告用ボード周辺の外観性を損なわない態様で、適切に付与させることができる。
【図面の簡単な説明】
【００１２】
【図１】図１は、この発明の一実施の形態にかかる広告用ボードの斜視構成図であり、広告用ボードは自立可能な展開状態である。
【図２】図２は、前記広告用ボードの斜視構成図であり、広告用ボードは折り畳み状態である。
【図３】図３は、図２におけるＡ−Ａ線位置での断面構成図である。
【図４】図４は、図２におけるＢ−Ｂ線位置での断面構成図である。
【図５】図５は、前記広告用ボードの内側にペットボトルを保持させた状態を示した断面構成図である。
【発明を実施するための形態】
【００１３】
以下、図１〜図５に基づいて、この発明の典型的な実施の形態について、説明する。この実施の形態にかかる広告用ボードは、第一のボード部１と第二のボード部２とを、これらの上辺部において回動可能に接合させて、これらの下辺部側を所定距離離隔させた展開状態において自立可能とさせてなるものであり、両面タイプのＡ型のボードなどと称されるものである。
【００１４】
第一のボード部１における第二のボード部２に向き合う裏面１ａと反対の表面１ｂ、及び、第二のボード部２における第一のボード部１に向き合う裏面２ａと反対の表面２ｂはそれぞれ、文字などを消去可能に記載したり、紙片などを貼り付けたりすることができるように、構成される。典型的には、第一のボード部１及び第二のボード部２の表面１ｂ、２ｂは、チョークにより文字が記載できる黒板として機能するように、あるいは、マーカーペンで文字が記載できるホワイトボードあるいはブラックボードとして機能するように、あるいはまた、磁石が吸着できるように構成されて、第一のボード部１及び第二のボード部２の表面１ｂ、２ｂに紙片などを介して磁石を吸着させることで、第一のボード部１及び第二のボード部２の表面１ｂ、２ｂに紙片などを留め付けることができるように構成される。第一のボード部１を前記黒板として、第二のボード部２を前記ホワイトボードあるいはブラックボードとするなど、第一のボード部１と第二のボード部２との機能を異ならせるようにしておくこともある。
【００１５】
図示の例では、第一のボード部１及び第二のボード部２はいずれも、枠体３内に四角形の板体４を張り込んだ構成となっている。
【００１６】
枠体３は、上枠部３ａ、左右の縦枠部３ｂ、３ｂ、及び、下枠部３ｃを備えている。左右の縦枠部３ｂ、３ｂの上端は上枠部３ａの上方には突き出していないが、左右の縦枠部３ｂ、３ｂの下端は下枠部３ｃの下方に突き出している。
【００１７】
第一のボード部１と第二のボード部２とは、これらの上辺部、図示の例では上枠部３ａにおいて、蝶番５によって回動可能に接合されている。第一のボード部１と第二のボード部２とは、これらを左右に区分する仮想の中心線ｘ（図２参照）を挟んだ一方側と他方側とにそれぞれ設けられた蝶番５によって、第一のボード部１の内面と第二のボード部２の内面とを互いに向き合わせ且つ実質的に平行に配した折り畳み状態（図２）と前記展開状態（図１）との間に亘る回動可能に組み合わされている。
【００１８】
図示の例では、前記展開状態において、第一のボード部１の左右の縦枠部３ｂ、３ｂの下端、および、第二のボード部２の左右の縦枠部３ｂ、３ｂの下端の四箇所を接地部として、広告用ボードは自立されるようになっている。
【００１９】
この実施の形態にかかる広告用ボードは、前記展開状態において、前記第一のボード部１と前記第二のボード部２との間に、ウエイトとして機能し得る態様でペットボトルＰを起立状態に保持できるようになっている（図５）。
【００２０】
すなわち、この実施の形態にあっては、広告用ボードは、前記展開状態において、その内側に、液体を充填させたペットボトルＰを、風などで煽られた際に広告用ボードが簡単に倒れたりしない重量を広告用ボードに付加させる態様で、起立状態に保持できるようになっている。
【００２１】
図示の例では、広告用ボードは、前記展開状態において、その内側に、液体を充填させた４本のペットボトルＰ…Ｐを、起立状態に保持できるようになっている。
【００２２】
この種の広告用ボードに風などで煽られた際に広告用ボードが簡単に倒れたりしない重量を広告用ボードに付加させる手法としては、砂袋や、水を充填したポリタンクなどを広告用ボードに結束などする手法があるが、これらを広告用ボードないしは広告用ボード周辺の外観性を損なわない態様で設置することは必ずしも容易でなく、また、これらを紐などを用いて広告用ボードと結束などすることを要する。
【００２３】
この実施の形態にかかる広告用ボードにあっては、液体を充填させたペットボトルＰを、展開状態の広告用ボードの内側に起立状態に保持させて広告用ボードに風などで煽られた際に広告用ボードが簡単に倒れたりしない重量を付加させることができることから、保持されるペットボトルＰは広告用ボードないしは広告用ボード周辺の外観性を損なうことがなく、また、広告用ボード内にペットボトルＰを単純に保持させるだけで前記重量を広告用ボードに付加させることができる。また、ペットボトルＰは起立状態に保持されることから、広告用ボードの高さは保持されるペットボトルＰの高さ以上であることが必須となるが、ペットボトルＰの保持構造が前記展開状態における第一のボード部１と第二のボード部２との間の距離（広告用ボードの前後方向ｚの寸法）の増加を招来することはなく、また、広告用ボードの左右方向ｙの距離（広告用ボードの左右方向ｙの寸法）の増加を招来することもない。
【００２４】
前記ペットボトルＰは、内容量を１Ｌ〜２Ｌの範囲のものとする、ことが好ましい。かかる範囲のペットボトルＰの高さは３０ｃｍ前後であり、水を充填させた状態では重量は１ｋｇｆ〜２ｋｇｆとなる。図示の例では、広告用ボードの内側に４本のペットボトルＰ…Ｐを保持するようになっていることから、広告用ボードに４ｋｇｆ〜８ｋｇｆの重量を付加できるようになっている。
【００２５】
この実施の形態にあっては、広告用ボードは、前記展開状態において、前記第一のボード部１と前記第二のボード部２との間に架設される前記ペットボトルＰの底支持体６と、前記ペットボトルＰの上部支持体７とを備えている。そして、前記上部支持体７にペットボトルＰの上部側の通過穴７ａを形成させている。
【００２６】
図示の例では、底支持体６は、四角形の板状を呈している。底支持体６の広告ボードの左右方向ｙに沿う向きの寸法は前記左右の縦枠部３ｂ、３ｂ間の距離と実質的に等しくなっている。
【００２７】
前記底支持体６は、広告用ボードの左右方向ｙに沿ったその一辺部を前記第一のボード部１及び前記第二のボード部２の一方に回動可能に組み付け、前記一辺部に対向する他辺部を前記展開状態において前記第一のボード部１及び前記第二のボード部２の他方に形成させた受け部３ｄに係合させるように構成されている。
【００２８】
図示の例では、前記底支持体６は、その一辺部を第二のボード部２の下枠部３ｃに蝶番５によって回動可能に組み付けている。かかる蝶番５も前記中心線ｘを挟んだ両側にそれぞれ備えられている。前記底支持体６は、その上面６ａを第二のボード部２の裏面に重ね合わせるようにした折り畳み位置（図３）とその上面６ａを水平に位置させる展開位置（図１、図５）との間に亘る回動が可能となっている。折り畳み位置にある底支持体６の下面６ｂは第二のボード部２を構成する枠体３における広告用ボードの内側に位置される面と実質的に同面上に位置され、第一のボード部１と第二のボード部２とを重ね合わせるようにした折り畳み状態（図２）を底支持体６が妨げることはない。図３中、符号８は底支持体６を折り畳み位置に保持する押さえ金具（葉型とんぼ）である。
【００２９】
前記底支持体６の他辺部には、前記底支持体６の下面６ｂにおいて、広告用ボードの左右方向ｙに沿った係合溝６ｃが底支持体６の左右方向ｙに亘って形成されている。一方、第一のボード部１の下枠部３ｃにおける広告用ボードの内側に位置される側には、前記展開位置において底支持体６の他辺部が載置される受け部３ｄが形成されている。この受け部３ｄには、広告用ボードの左右方向ｙに沿った係合凸部３ｅが下枠部３ｃの全長に亘って形成されており、前記展開位置において底支持体６の係合溝６ｃにこの係合凸部３ｅが下方から入り込むようになっている。
【００３０】
これにより、この実施の形態にあっては、前記展開状態を、前記展開位置にある底支持体６によって維持できるようになっている。すなわち、第一のボード部１と第二のボード部２との下辺部を所定距離離隔させた展開状態は、前記展開位置にある底支持体６によってそれ以上の離隔及びそれ以下の近接を生じさせないように維持される。それと共に、展開位置にある底支持体６と展開状態にある広告用ボードの上端との間の距離は保持されるペットボトルＰの高さよりも大きくなっており、展開位置にある底支持体６上においてペットボトルＰを起立状態に支持できるようになっている。
【００３１】
一方、図示の例では、上部支持体７は、四角形の板状をしている。上部支持体７は、底支持体６の上方に位置され、その広告ボードの前後方向ｚに沿う向きの寸法は底支持体６の同じ向きでの寸法よりも小さく、また、その広告ボードの左右方向ｙに沿う向きの寸法は前記左右の縦枠部３ｂ、３ｂ間の距離と実質的に等しくなっている。
【００３２】
前記上部支持体７は、広告ボードの左右方向ｙに沿ったその一辺部を前記第一のボード部１及び前記第二のボード部２の一方に回動可能に組み付け、前記一辺部に対向する他辺部を前記展開状態において前記第一のボード部１及び前記第二のボード部２の他方に形成させた受け部３ｆに係当させるように構成されている。
【００３３】
図示の例では、前記上部支持体７は、その一辺部を第一のボード部１の上枠部３ａと下枠部３ｃとの間に位置される中間枠部３ｇに蝶番５によって回動可能に組み付けている。中間枠部３ｇは、広告用ボードの内側において左右の縦枠部３ｂ、３ｂ間に架設されている。かかる蝶番５も前記中心線ｘを挟んだ両側にそれぞれ備えられている。前記上部支持体７は、その上面７ｂを第一のボード部１の裏面に重ね合わせるようにした折り畳み位置（図４）とその上面７ｂを水平に位置させる展開位置（図１、図５）との間に亘る回動が可能となっている。折り畳み位置にある上部支持体７の下面７ｃは第一のボード部１を構成する枠体３における広告用ボードの内側に位置される面と実質的に同面上に位置され、第一のボード部１と第二のボード部２とを重ね合わせるようにした折り畳み状態（図２）を上部支持体７が妨げることはない。図４中、符号８は上部支持体７を折り畳み位置に保持する押さえ金具（葉型とんぼ）である。
【００３４】
第二のボード部２の上枠部３ａと下枠部３ｃと間にも中間枠部３ｇが形成されている。この中間枠部３ｇも、広告用ボードの内側において左右の縦枠部３ｂ、３ｂ間に架設されている。上側支持体の他辺部は、前記展開位置において、第二のボード部２の中間枠部３ｇの上面を受け部３ｆとしてこれに載置されるようになっている。
【００３５】
上側支持体には、広告用ボードの左右方向ｙにおいて、隣り合う通過穴７ａとの間に略等しい間隔を開けて、四つの円形の通過穴７ａが形成されている。
【００３６】
これにより、この実施の形態にあっては、前記展開位置にある底支持体６上にペットボトルＰを起立状態に支持させた状態から、ペットボトルＰのキャップ側（注ぎ口側）を通過穴７ａに通しながら上部支持体７を展開位置に回動位置づけることにより、起立状態に支持されたペットボトルＰを転倒しないように保持するようになっている。現在流通するペットボトルＰは、内容量を等しくしても上下寸法を若干異ならせるものがあるが、上部支持体７は前記通過穴７ａにペットボトルＰのキャップ側に通してこのペットボトルＰの上部側を支持することから、上下寸法を異ならせるペットボトルＰのいずれの上部側も適切に支持し得る。
【００３７】
図示の例では、展開位置にある底支持体６を第一のボード部１の受け部３ｄに係合させ、展開位置にある上部支持体７を第二のボード部２の受け部３ｆに係当させるようにしたが、展開位置にある上部支持体７を第二のボード部２の受け部３ｆに係合させ、展開位置にある底支持体６を第一のボード部１の受け部３ｄに係当させるようにしても良く、また、展開位置にある底支持体６を第一のボード部１の受け部３ｄに係合させ、展開位置にある上部支持体７を第二のボード部２の受け部３ｆに係合させるようにしても良い。
【００３８】
なお、当然のことながら、本発明は以上に説明した実施形態に限定されるものではなく、本発明の目的を達成し得るすべての実施形態を含むものである。
【符号の説明】
【００３９】
１  第一のボード部
２  第二のボード部
Ｐペットボトル
【図１】
2018101005.tif 000003
【図２】
2018101005.tif 000004
【図３】
2018101005.tif 000005
【図４】
2018101005.tif 000006
【図５】
2018101005.tif 000007